(57)【特許請求の範囲】
【請求項１】
スライドファスナーにおけるスライダ側に設けられた通し部に通されるコードと、
前記通し部に通されたコードの両端末に対する食いつき部を内側に有し、この食いつき部をこの両端末に食いつかせるようにしてこの両端末を内側に納めてこのコードに取り付けられる端末カバーと、
スライダと端末カバーとの間に亘るコードの一方側を通す通し穴と、スライダと端末カバーとの間に亘るコードの他方側を通す通し穴とを備えると共に、ゴム又はゴム状弾性を備えたプラスチックによって構成された、一又は二以上のブリッジパーツとを備えてなることを特徴とするスライドファスナー用のコード引手。
【請求項２】
ブリッジパーツの通し穴の少なくとも一部が、コードの太さよりもやや小さい穴径を持つように構成されていることを特徴とする請求項１記載のスライドファスナー用のコード引手。
【請求項３】
ブリッジパーツが、このブリッジパーツにおけるコードの延長方向にある側部における二カ所の通し穴の間にある箇所を窪ませるように、くびれた形に成形されていることを特徴とする請求項１又は請求項２記載のスライドファスナー用のコード引手。
【発明の詳細な説明】
【技術分野】
【０００１】
この発明は、スライドファスナーにおけるスライダに取り付けられて、このスライダを操作し易くさせるために用いられるコード引手の改良に関する。
【背景技術】
【０００２】
ジッパ（スライドファスナー）のスライダに設けられたアイレットに通されてスライダの引手となるコードの両端部（両端末）を内側に納めてこのコードに取り付けられる止め具がある。（特許文献１参照）止め具は雄要素と雌要素とからなる。雌要素に通して引き出したコードを雄要素のコードチャンネルに保持させた状態から雄要素のコードチャンネルを雌要素に入れ込むことにより、雄要素上に形成された点または筋などがコードに食いついて、止め具はコードに緊密に取り付けられるようになっている。
【０００３】
このような止め具を含んで構成される引手においては、かかる止め具を把持してのスライダの操作がなされることとなる。それゆえに、止め具を軟質のプラスチックによって構成するようにすれば、その把持などの具合が良くなると共に、高級感を付与することもできる。しかし、止め具を軟質のプラスチックによって単純に構成させてしまうとコードに対する前記食いつき力を低下させてしまう。こうしたことから、表面のみを軟質のプラスチックによって被覆させて構成された止め具も用いられているが、これは当然に、成形手間、コストを要させるものである。また、引手の把持部となる部分はコードの長さなどによりコードの長さ方向により大きくあった方が良い場合もあるが、前記のような止め具を含んで構成される引手においては、かかる止め具の大きさ以上に把持部となる部分を増加させることはできない。
【特許文献１】特開２００２−１７４１１号公報
【発明の開示】
【発明が解決しようとする課題】
【０００４】
この発明が解決しようとする主たる問題点は、スライドファスナーのスライダに取り付けられるコード引手において、コードの両端末を覆う端末カバーとコードとの取り付け状態を強固に確保しながら、この端末カバーとスライダとの間にスライダの操作にあたって把持に具合の良いゴム又は軟質のプラスチックよりなる部分を、この部分の広さを容易に変更可能な態様で容易にかつ適切に設けることができるようにする点にある。
【課題を解決するための手段】
【０００５】
前記課題を達成するために、この発明にあってはコード引手を、以下の（１）〜（３）の構成を備えたものとした。
（１）スライドファスナーにおけるスライダ側に設けられた通し部に通されるコードと、
（２）前記通し部に通されたコードの両端末に対する食いつき部を内側に有し、この食いつき部をこの両端末に食いつかせるようにしてこの両端末を内側に納めてこのコードに取り付けられる端末カバーと、
（３）スライダと端末カバーとの間に亘るコードの一方側を通す通し穴と、スライダと端末カバーとの間に亘るコードの他方側を通す通し穴とを備えると共に、ゴム又はゴム状弾性を備えたプラスチックによって構成された、一又は二以上のブリッジパーツとを備えてなる。
【０００６】
かかる構成によれば、スライドファスナーのスライダの通し部にコードを通した後、このように通されたコードの一方側と他方側との間に亘るように一又は二以上のブリッジパーツを取り付けることができ、この後、コードの両端末に端末カバーを取り付けることによって、スライドファスナーのスライダにコード引手を取り付けさせることができる。端末カバーとスライダとの間に一又は二以上のブリッジパーツが配されることから、コード引手はより掴みやすいものとなる。また、ブリッジパーツはゴム又はゴム状弾性を備えたプラスチックによって構成されていることから、端末カバーを食いつき部をしっかりとコードに食いつかせる剛性の高いプラスチックなどで構成しておいても、ブリッジパーツにおいてコード引手は滑りにくい態様で、かつ、感触良く把持することができる。ブリッジパーツは二カ所の通し穴のそれぞれにコードの中間部を通してコードに取り付けられているため、コードを中心にブリッジパーツは回転したりすることなく、コードに対する取り付けの向きは一定であり、二以上のブリッジパーツを取り付けた場合にもそれぞれのブリッジパーツの向きを揃えてコード引手を意匠性の良いものとすることができる。また、コードの長さに応じてブリッジパーツの数を増減させることで、様々な長さのコード引手をそれぞれ適切に構成させることができる。また、かかるブリッジパーツによって、スライダと端末カバーとの間でのコードの絡みやよれを生じさせることもない。
【０００７】
前記ブリッジパーツの通し穴の少なくとも一部が、コードの太さよりもやや小さい穴径を持つように構成させておくこともある。
【０００８】
このようにした場合、コードはかかる通し穴をやや弾性的に押し広げさせるようにしてこの通し穴に通されるものとされ、コードに対してブリッジパーツは一定の位置で安定的に取り付けられる。
【０００９】
前記ブリッジパーツを、このブリッジパーツにおけるコードの延長方向にある側部における二カ所の通し穴の間にある箇所を窪ませるように、くびれた形に成形させておくこともある。
【００１０】
このようにした場合、ブリッジパーツの窪んだ箇所に指の腹を納めるようにして引手コードをしっかりと掴むことができる。
【発明の効果】
【００１１】
この発明によれば、コードの両端末を覆う端末カバーとコードとの取り付け状態を強固に確保しながら、この端末カバーとスライダとの間にスライダの操作にあたって把持に具合の良いゴム又は軟質のプラスチックよりなる部分を、ブリッジパーツによってかかる部分の広さを容易に変更可能な態様で容易にかつ適切に設けさせることができる。
【発明を実施するための最良の形態】
【００１２】
以下、図１〜図２１に基づいて、この発明を実施するための最良の形態について説明する。
【００１３】
なお、ここで図１は、スライダＦａに実施の形態にかかるコード引手Ｈを取り付けた様子を、また、図２は、かかるコード引手Ｈを構成する各部品を分離させた状態として示している。また、図３〜図８は、コード引手Ｈをそれぞれ示しており、図９〜図１２は、ブリッジパーツ３を、図１３〜図１７は、端末カバー２を構成する雌パーツ２１を、図１８〜図２１は、端末カバー２を構成する雄パーツ２０を、それぞれ示している。
【００１４】
この実施の形態にかかるコード引手Ｈは、スライドファスナーＦにおけるスライダＦａに取り付けられて、このスライダＦａを操作し易くさせるものである。
【００１５】
典型的には、かかるコード引手Ｈは、かばんや袋物、衣服、テントなどのスライドファスナーＦを備えた物品におけるそのスライダＦａを操作し易くさせるために用いられる。
【００１６】
かかるコード引手Ｈは、コード１と、端末カバー２と、ブリッジパーツ３とから構成されている。
【００１７】
コード１は、スライドファスナーＦにおけるスライダＦａ側に設けられた通し部Ｆｂに通されるものである。かかるコード１は、丸紐状のものでも平紐状のものでも良い。また、かかるコード１としては、編んだり織ったりして構成されたもの、ゴム紐、ゴム又はゴム状弾性を備えたプラスチックによって一体に構成されたもの、などが予定される。
【００１８】
かかるコード１は、スライダＦａを構成する胴Ｆｃに一体に設けられた通し部Ｆｂに通すことにより、あるいはまた、図示の例のように、スライダＦａの引手Ｆｄの自由端側に設けられた通し部Ｆｂ（貫通孔Ｆｅ）に通すことにより、スライダＦａに組み合わされる。コード１をこのようにスライダＦａに組み合わせた後、後述するように一又は二以上のブリッジパーツ３をかかるコード１に取り付け、最後に端末カバー２を取り付けることにより、スライダＦａにコード１引手Ｈが取り付けられることとなる。
【００１９】
端末カバー２は、スライダＦａの通し部Ｆｂに通されたコード１の両端末１０、１０を覆うようにこのコード１に取り付けられて、端末カバー２を摘んでのスライダＦａの操作を可能とすると共に、コード１の端末１０を保護し、さらに、コード１の両端末１０、１０を結び合わせることなくコード１をループ状にしてスライダＦａから外れないようにするものである。
【００２０】
かかる端末カバー２は、コード１の両端末１０、１０に対する食いつき部２０ｄを内側に有し、この食いつき部２０ｄをこの両端末１０、１０に食いつかせるようにしてこの両端末１０、１０を内側に納めてこのコード１に取り付けられるようになっている。
【００２１】
図示の例では、かかる端末カバー２は、雄パーツ２０と雌パーツ２１とから構成されている。雌パーツ２１は、扁平筒状をなし、筒一端２１ａ側から雄パーツ２０の脚部２０ａを受け入れ、受け入れきった位置でこの雄パーツ２０の頭部２０ｆによってこの筒一端２１ａを塞がれるように構成されている。雄パーツ２０の頭部２０ｆには、かかる受け入れきられた位置で雌パーツ２１の被掛合部２１ｃに掛合される掛合部２０ｇが設けられている。また、雌パーツ２１の筒他端２１ｂ側には、この雌パーツ２１の幅方向において間隔を開けて二カ所のコード１の通し穴２１ｄ、２１ｄが形成されている。また、雌パーツ２１の幅広の両面部２１ｆ、２１ｆは、この雌パーツ２１の内側において、その筒一端２１ａ側から筒他端２１ｂ側に近づくに連れて次第に他方の面部２１ｆに近づく向きに傾斜した締め込み面２１ｅを有している。一方、雄パーツ２０は、頭部２０ｆと、脚部２０ａとを有すると共に、脚部２０ａは、略長方形の幅広の両面部２０ｃ、２０ｃを備えたブロック状をなす先端部２０ｂと、この先端部２０ｂと頭部２０ｆとの間に亘るくの字状に屈曲した連結片２０ｅとから構成されている。かかる先端部２０ｂの幅広の両面部２０ｃ、２０ｃにはそれぞれ、この先端部２０ｂの長さ方向に沿って延びる鋸歯状の食いつき部２０ｄが脚部２０ａの延長方向に間隔を開けて二条設けられている。そして、図示の例にあっては、スライダＦａの引手Ｆｄに設けられた通し部Ｆｂに通されたコード１に後述するようにブリッジパーツ３を取り付けた後、このコード１の端末１０の一方を雌パーツ２１の二カ所の通し穴２１ｄ、２１ｄの一方を通じて雌パーツ２１内に入れ込みさらに雌パーツ２１の筒一端２１ａから引き出し、かつ、このコード１の端末１０の他方を雌パーツ２１の二カ所の通し穴２１ｄ、２１ｄの他方を通じて雌パーツ２１内に入れ込みさらに雌パーツ２１の筒一端２１ａから引き出し、次いで、このように引き出された両端末１０、１０を雄パーツ２０の先端部２０ｂの幅広の面部２０ｃに接しさせるようにした状態で雄パーツ２０の脚部２０ａを雌パーツ２１内に押し込むことにより、コード１の端末１０に雌パーツ２１の締め込み面２１ｅによって食いつき部２０ｄを強く突き立てて、この端末１０に端末カバー２を取り付けるようになっている。図示の例では、連結片２０ｅは屈曲箇所を広げるように弾性変形可能に構成されており、コード１にテンションが作用すればするほど先端部２０ｂは雌パーツ２１の筒他端２１ｂ側に移動されるようになっているが、締め込み面２１ｅは前記傾斜を持っていることから先端部２０ｂがこの筒他端２１ｂ側に移動されればされるほど食いつき部２０ｄが強くコード１に突き立てられるようになっている。
【００２２】
ブリッジパーツ３は、ゴム又はゴム状弾性を備えたプラスチックによって構成されている。コード１引手Ｈは、コード１の長さに応じて、一又は二以上のブリッジパーツ３を含んで構成される。
【００２３】
かかるブリッジパーツ３は、スライダＦａと端末カバー２との間に亘るコード１の一方側を通す通し穴３３と、スライダＦａと端末カバー２との間に亘るコード１の他方側を通す通し穴３３とを備えている。
【００２４】
図示の例では、かかるブリッジパーツ３は、長さと幅とを備えた幅広の両面３０、３０と、この両面３０、３０間に亘る四つの肉厚方向、すなわち、ブリッジパーツ３におけるコード１の延長方向にある側部３１とを有している。四つの側部３１のうち、ブリッジパーツ３の長さ側にある二つの側部３１ａはそれぞれ、二カ所の通し穴３３、３３の間にある箇所を窪ませており、ブリッジパーツ３を幅広の面側から見たときにこのブリッジパーツ３はその長さ方向中程の位置に近づくに連れて両側から次第に細まるようにくびれた形に成形されている。また、前記幅広の両面３０、３０もブリッジパーツ３の長さ方向中程の位置に近づくに連れてブリッジパーツ３の厚さを次第に小さくする向きに湾曲している。すなわち、図示の例ではブリッジパーツ３はウエスト状部３２を持つように成形されている。
【００２５】
また、図示の例では、二カ所の通し穴３３、３３はそれぞれ、ブリッジパーツ３の厚さ方向に沿って形成され、幅広の両面３０、３０においてそれぞれ外方に開放されている。また、図示の例では、かかる二カ所の通し穴３３、３３の間には、肉抜き用の丸穴３４が形成されている。
【００２６】
図示の例では、二カ所の通し穴３３、３３はそれぞれ、穴内形状を丸穴３４側に一辺（内辺）を向けた略四角形状としている。また、この内辺に向き合う辺（外辺）側に向けて、次第に穴幅を大きくするように構成されている。
【００２７】
また、かかるブリッジパーツ３の通し穴３３の少なくとも一部は、コード１の太さよりもやや小さい穴径を持つように構成されている。
【００２８】
図示の例では、かかる通し穴３３の穴径は通し穴３３の延長方向に亘って一様であり、通し穴３３の全部がコード１の太さよりもやや小さい穴径を持つように構成されている。
【００２９】
これによりこの実施の形態にあっては、コード１はかかる通し穴３３をやや弾性的に押し広げさせるようにしてこの通し穴３３に通されるものとされ、コード１に対してブリッジパーツ３は一定の位置で安定的に取り付けられるようになっている。
【００３０】
そして、かかるブリッジパーツ３の一方の通し穴３３に前記スライダＦａと端末カバー２との間に亘るコード１の一方側が通され、かつ、かかるブリッジパーツ３の他方の通し穴３３にスライダＦａと端末カバー２との間に亘るコード１の他方側が通されるようになっている。
【００３１】
これによりこの実施の形態にあっては、スライドファスナーＦのスライダＦａの通し部Ｆｂにコード１を通した後、このように通されたコード１の一方側と他方側との間に亘るように一又は二以上のブリッジパーツ３を取り付けることができ、（図示の例では三つのブリッジパーツ３）この後、コード１の両端末１０、１０に端末カバー２を取り付けることによって、スライドファスナーＦのスライダＦａにコード引手Ｈを取り付けさせることができる。端末カバー２とスライダＦａとの間に一又は二以上のブリッジパーツ３が配されることから、コード引手Ｈはより掴みやすいものとなる。また、ブリッジパーツ３はゴム又はゴム状弾性を備えたプラスチックによって構成されていることから、端末カバー２を食いつき部２０ｄをしっかりとコード１に食いつかせる剛性の高いプラスチックなどで構成しておいても、ブリッジパーツ３においてコード引手Ｈは滑りにくい態様で、かつ、感触良く把持することができる。ブリッジパーツ３は二カ所の通し穴３３、３３のそれぞれにコード１の中間部を通してコード１に取り付けられているため、コード１を中心にブリッジパーツ３は回転したりすることなく、コード１に対する取り付けの向きは一定であり、二以上のブリッジパーツ３を取り付けた場合にもそれぞれのブリッジパーツ３の向きを揃えてコード引手Ｈを意匠性の良いものとすることができる。また、コード１の長さに応じてブリッジパーツ３の数を増減させることで、様々な長さのコード引手Ｈをそれぞれ適切に構成させることができる。また、かかるブリッジパーツ３によって、スライダＦａと端末カバー２との間でのコード１の絡みやよれを生じさせることもない。
【００３２】
また、この実施の形態にあっては、ブリッジパーツ３はくびれた形に成形されていることから、窪んだ箇所に指の腹を納めるようにして引手コード１をしっかりと掴むことができる。
【００３３】
図示の例では、端末カバー２の雌パーツ２１の筒他端２１ｂ側が外膨らみの湾曲形状を持つように構成されていると共に、ブリッジパーツ３におけるコード１の延長方向に交叉する向きにある幅広の面３０のくびれ形状がこの湾曲形状に倣った形状となっており、端末カバー２に隣り合うブリッジパーツ３と端末カバー２とは隙間無く組み合わされるようになっている。また、接し合って隣り合う各ブリッジパーツ３間には、このブリッジパーツ３におけるコード１の延長方向に交叉する向きにある幅広の面３０のくびれ形状によって隙間Ｓが形成されるようになっている。
【図面の簡単な説明】
【００３４】
【図１】コード引手Ｈの使用状態を示した平面図
【図２】コード引手Ｈの分離斜視図
【図３】コード引手Ｈの平面図
【図４】同正面図
【図５】同左側面図
【図６】同右側面図
【図７】同断面図
【図８】同図７と９０度異なる位置での断面図
【図９】ブリッジパーツ３の正面図
【図１０】同平面図
【図１１】同右側面図
【図１２】図９におけるＡ−Ａ線断面図
【図１３】雌パーツ２１の正面図
【図１４】同左側面図
【図１５】同右側面図
【図１６】同一部破断正面図
【図１７】同一部破断平面図
【図１８】雄パーツ２０の正面図
【図１９】同平面図
【図２０】同左側面図
【図２１】図１８におけるＢ−Ｂ線断面図
【符号の説明】
【００３５】
Ｆ  スライドファスナー
Ｆａ  スライダ
Ｆｂ  通し部
１  コード
１０  端末
２  端末カバー
２０ｄ  食いつき部
３  ブリッジパーツ
３３  通し穴
【図１】
0004701033.tif 000002
【図２】
0004701033.tif 000003
【図３】
0004701033.tif 000004
【図４】
0004701033.tif 000005
【図５】
0004701033.tif 000006
【図６】
0004701033.tif 000007
【図７】
0004701033.tif 000008
【図８】
0004701033.tif 000009
【図９】
0004701033.tif 000010
【図１０】
0004701033.tif 000011
【図１１】
0004701033.tif 000012
【図１２】
0004701033.tif 000013
【図１３】
0004701033.tif 000014
【図１４】
0004701033.tif 000015
【図１５】
0004701033.tif 000016
【図１６】
0004701033.tif 000017
【図１７】
0004701033.tif 000018
【図１８】
0004701033.tif 000019
【図１９】
0004701033.tif 000020
【図２０】
0004701033.tif 000021
【図２１】
0004701033.tif 000022